【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
音声データを記憶するための音声データ記憶部と、
音声を音声データに変換し、録音時刻を示す録音時刻情報を付加して、変換した音声データを前記音声データ記憶部に記録する録音部と、
被写体を順次撮影する撮影部と、
前記撮影部の撮影によって既に得られた被写体画像と新たに得られた被写体画像との差分からなる差分画像を生成する差分画像生成部と、
前記差分画像生成部が生成した差分画像のデータを記憶する差分画像データ記憶部と、
前記差分画像データ記憶部が記憶する差分画像のデータに、新たに得られた被写体画像の撮影時刻を示す撮影時刻情報を付加する撮影時刻情報付加部と、を備えた、
ことを特徴とする音声画像記録装置。
【請求項２】
時刻を計時する計時部を備え、
前記録音部は、音声を音声データに変換したときに前記計時部が計時した時刻を録音時刻として前記録音時刻情報を取得し、取得した録音時刻情報を前記音声データに付加し、
前記撮影時刻情報付加部は、前記撮影部が新たに被写体を撮影したときに前記計時部が計時した時刻を撮影時刻として前記撮影時刻情報を取得し、取得した撮影時刻情報を前記差分画像のデータに付加する、
ことを特徴とする請求項１に記載の音声画像記録装置。
【請求項３】
前記差分画像生成部は、既に得られた被写体画像の画素値と新たに得た被写体画像の画素値とを比較し、両被写体画像の画素値の画素変化量を予め設定された閾値と比較することによって画像に変化があったか否かを判定し、画像に変化があったと判定した場合に、前記差分画像を生成する、
ことを特徴とする請求項１又は２に記載の音声画像記録装置。
【請求項４】
前記差分画像生成部は、撮影部の撮影によって得られた被写体画像の歪み補正を行う、
ことを特徴とする請求項１乃至３のいずれか１項に記載の音声画像記録装置。
【請求項５】
前記差分画像生成部は、前記差分画像を生成すると、既に得られた被写体画像を消去する、
ことを特徴とする請求項１乃至４のいずれか１項に記載の音声画像記録装置。
【請求項６】
録音時刻情報が付加された音声データを記憶する音声データ記憶部と、
第１の被写体画像と第２の被写体画像との差分からなる差分画像に、被写体画像の撮影時刻情報が付加されたデータを記憶する差分画像データ記憶部と、
前記音声データ記憶部が記憶する音声データに基づいて音声を、指定された録音時刻から再生する音声再生部と、
前記差分画像データ記憶部が記憶するデータに基づいて、すべての差分画像を合成し、最終画像を復元する最終画像復元部と、
前記最終画像復元部が復元した最終画像を表示する最終画像表示部と、
前記最終画像表示部が表示した最終画像から、選択された被写体を特定する選択情報を取得する画像選択情報取得部と、
前記画像選択情報取得部が取得した選択情報に基づいて特定された被写体を含む差分画像の撮影時刻情報に対応する録音時刻を指定して前記音声再生部に音声を再生させる再生制御部と、を備えた、
ことを特徴とする音声画像再生装置。
【請求項７】
前記音声再生部が再生する音声の録音時刻情報と前記差分画像のデータに付加された撮影時刻情報とを参照して、前記音声を再生する録音時刻以前の差分画像を合成して合成画像を生成する合成画像生成部と、
前記合成画像生成部が合成した合成画像を前記録音時刻に合わせて表示する合成画像表示部と、を備えた、
ことを特徴とする請求項６に記載の音声画像再生装置。
【請求項８】
音声を音声データに変換し、録音時刻を示す録音時刻情報を付加して、変換した音声データを記録するステップと、
被写体を順次撮影するステップと、
前記撮影によって既に得られた被写体画像と新たに得られた被写体画像との差分からなる差分画像を生成するステップと、
前記生成した差分画像のデータを記憶するステップと、
前記記憶した差分画像のデータに、新たに得られた被写体画像の撮影時刻を示す撮影時刻情報を付加するステップと、を備えた、
ことを特徴とする音声画像記録方法。
【請求項９】
録音時刻情報が付加された音声データを記憶するステップと、
第１の被写体画像と第２の被写体画像との差分からなる差分画像に、被写体画像の撮影時刻情報が付加されたデータを記憶するステップと、
前記記憶する差分画像のデータに基づいて、すべての差分画像を合成し、最終画像を復元するステップと、
前記復元した最終画像を表示するステップと、
前記表示した最終画像から、選択された被写体を特定する選択情報を取得するステップと、
前記取得した選択情報に基づいて、選択された被写体を含む差分画像を特定し、特定した差分画像の撮影時刻情報に対応する録音時刻から、音声を再生するステップと、を備えた、
ことを特徴とする音声画像再生方法。
【請求項１０】
コンピュータに、
音声を音声データに変換し、録音時刻を示す録音時刻情報を付加して、変換した音声データを記録する手順、
被写体を順次撮影する手順、
前記撮影によって既に得られた被写体画像と新たに得られた被写体画像との差分からなる差分画像を生成する手順、
前記生成した差分画像のデータを記憶する手順、
前記記憶した差分画像のデータに、新たに得られた被写体画像の撮影時刻を示す撮影時刻情報を付加する手順、
を実行させるためのプログラム。
【請求項１１】
コンピュータに、
録音時刻情報が付加された音声データを記憶する手順、
第１の被写体画像と第２の被写体画像との差分からなる差分画像に、被写体画像の撮影時刻情報が付加された差分画像のデータを記憶する手順、
前記記憶する差分画像のデータに基づいて、すべての差分画像を合成し、最終画像を復元する手順、
前記復元した最終画像を表示する手順、
前記表示した最終画像から、選択された被写体を特定する選択情報を取得する手順、
前記取得した選択情報に基づいて、選択された被写体を含む差分画像を特定し、特定した差分画像の撮影時刻情報に対応する録音時刻から、音声を再生する手順、
を実行させるためのプログラム。
【手続補正２】
【補正対象書類名】明細書
【補正対象項目名】００１１
【補正方法】変更
【補正の内容】
【００１１】
本発明の第２の観点に係る音声画像再生装置は、
録音時刻情報が付加された音声データを記憶する音声データ記憶部と、
第１の被写体画像と第２の被写体画像との差分からなる差分画像に、被写体画像の撮影時刻情報が付加されたデータを記憶する差分画像データ記憶部と、
前記音声データ記憶部が記憶する音声データに基づいて音声を、指定された録音時刻から再生する音声再生部と、
前記差分画像データ記憶部が記憶するデータに基づいて、すべての差分画像を合成し、最終画像を復元する最終画像復元部と、
前記最終画像復元部が復元した最終画像を表示する最終画像表示部と、
前記最終画像表示部が表示した最終画像から、選択された被写体を特定する選択情報を取得する画像選択情報取得部と、
前記画像選択情報取得部が取得した選択情報に基づいて特定された被写体を含む差分画像の撮影時刻情報に対応する録音時刻を指定して前記音声再生部に音声を再生させる再生制御部と、を備えたことを特徴とする。
【手続補正３】
【補正対象書類名】明細書
【補正対象項目名】００１４
【補正方法】変更
【補正の内容】
【００１４】
本発明の第４の観点に係る音声画像再生方法は、
録音時刻情報が付加された音声データを記憶するステップと、
第１の被写体画像と第２の被写体画像との差分からなる差分画像に、被写体画像の撮影時刻情報が付加されたデータを記憶するステップと、
前記記憶する差分画像のデータに基づいて、すべての差分画像を合成し、最終画像を復元するステップと、
前記復元した最終画像を表示するステップと、
前記表示した最終画像から、選択された被写体を特定する選択情報を取得するステップと、
前記取得した選択情報に基づいて、選択された被写体を含む差分画像を特定し、特定した差分画像の撮影時刻情報に対応する録音時刻から、音声を再生するステップと、を備えたことを特徴とする。
【手続補正４】
【補正対象書類名】明細書
【補正対象項目名】００１６
【補正方法】変更
【補正の内容】
【００１６】
本発明の第６の観点に係るプログラムは、
コンピュータに、
録音時刻情報が付加された音声データを記憶する手順、
第１の被写体画像と第２の被写体画像との差分からなる差分画像に、被写体画像の撮影時刻情報が付加された差分画像のデータを記憶する手順、
前記記憶する差分画像のデータに基づいて、すべての差分画像を合成し、最終画像を復元する手順、
前記復元した最終画像を表示する手順、
前記表示した最終画像から、選択された被写体を特定する選択情報を取得する手順、
前記取得した選択情報に基づいて、選択された被写体を含む差分画像を特定し、特定した差分画像の撮影時刻情報に対応する録音時刻から、音声を再生する手順、
を実行させるためのものである。